(57)【要約】【課題】エチレン系エラストマー、プロピレン系エラストマーまたはブタジエン系エラストマーのゴムベールを運搬用収納箱に効率よく収納するための収納用押圧器具および収納方法を提供することが可能になり、より簡便ですばやくベールの形状を安定化して、その後の運搬作業を行うことができる方法を提供する。【解決手段】ゴムベールを運搬用収納箱に収納するに際して用いる器具であって、少なくとも１０００ｋｇの重量を有する鋼鉄製の四角形のブロックよりなり、上部にはフォークリフトの爪を挿入する運搬用爪挿入口、四角形の四隅には収納箱の角に合致するガイド用治具を有し、四角形のブロックの下部は収納されたゴムベールを上部より押圧するための凸部を形成してなることを特徴とするゴムベール収納用押圧器具。【選択図】図１
2008201443.tif 000002
【特許請求の範囲】
【請求項１】
ゴムベールを運搬用収納箱に収納するに際して用いる器具であって、少なくとも１０００ｋｇの重量を有する鋼鉄製の四角形のブロックよりなり、上部にはフォークリフトの爪を挿入する運搬用爪挿入口、四角形の四隅には収納箱の角に合致するガイド用治具を有し、四角形のブロックの下部は収納されたゴムベールを上部より押圧するための凸部を形成してなることを特徴とするゴムベール収納用押圧器具。
【請求項２】
請求項１に記載のゴムベール収納用押圧器具を用い、エチレン系エラストマー、プロピレン系エラストマーまたはブタジエン系エラストマーのゴムベールを運搬用収納箱に収納することを特徴とするゴムベールの収納方法。
【発明の詳細な説明】
【技術分野】
【０００１】
本発明は、ゴムベールを運搬用収納箱に収納する際に用いる押圧器具および該押圧器具を用いるゴムベールの収納方法に関する。
【背景技術】
【０００２】
エチレン系エラストマー、プロピレン系エラストマーまたはブタジエン系エラストマー等は、運搬や使用時の容易さから長方体の形状をした１７．５〜３５ｋｇのゴムベールに成型して消費者に供給されるが、柔軟性を有し積み重ねるとコールドフロー現象を示して崩れる恐れがあることから、ゴムベールが２０個〜６０個収納することができる収納箱に収納して保管や運搬を行うのが一般的である。かかるコールドフロー現象を示す物質を収納箱に効率よく収納するためには、なるべく隙間無くベールを積み重ねる必要があるが、所定数を収納可能な収納箱に収納しても、収納箱上部に最上部のベールがはみ出し、はみ出し部分が収納箱の収まるには一定の時間を要していた。かかる状況の解決方法として、例えば、ゴムベールの収納された箱をスラットコンベアに載せてプレス板の下にセットし、プレス板との相対的な位置ずれを多数のセンサーを用いて検出して調整後、プレス板を油圧で下降させて箱からはみだしたゴムベールを一定時間押圧して箱内に収めるゴムベールプレス装置が開示されている。この装置は、多量のゴムベールを自動的に箱内に収納するのに優れた装置であるが、多額の投資金額と複雑な機械・制御装置、固定された設置スペースを要する等の問題点がある（特許文献１参照）。そこで、設置スペース等の場所的制限を受けずより簡便な器具を用いてすばやくベールの形状を安定化し、その後の運搬作業を行うことができる方法の確立が望まれていた。
【０００３】
【特許文献１】特開平６−３２８４８４号公報（第１頁〜第３頁）
【発明の開示】
【発明が解決しようとする課題】
【０００４】
かかる状況に鑑み、本発明は、エチレン系エラストマー、プロピレン系エラストマーまたはブタジエン系エラストマーのゴムベールを運搬用収納箱に簡便で効率よく収納するための収納用押圧器具および収納方法を提供することを目的とする。
【課題を解決するための手段】
【０００５】
本発明の第一は、ゴムベールを運搬用収納箱に収納するに際して用いる器具であって、少なくとも１０００ｋｇの重量を有する鋼鉄製の四角形のブロックよりなり、上部にはフォークリフトの爪を挿入する運搬用爪挿入口、四角形の四隅には収納箱の角に合致するガイド用治具を有し、四角形のブロックの下部は収納されたゴムベールを上部より押圧するための凸部を形成してなることを特徴とするゴムベール収納用押圧器具に係るものである。
【０００６】
本発明の第二は、第一の発明のゴムベール収納用押圧器具を用い、エチレン系エラストマー、プロピレン系エラストマーまたはブタジエン系エラストマーのゴムベールを運搬用収納箱に収納することを特徴とするゴムベールの収納方法に係る発明である。
【発明の効果】
【０００７】
本発明により、エチレン系エラストマー、プロピレン系エラストマーまたはブタジエン系エラストマーのゴムベールを運搬用収納箱に効率よく収納するための収納用押圧器具および収納方法を提供することが可能になり、より簡便ですばやくベールの形状を安定化して、その後の運搬作業を行うことができる方法が確立された。
【発明を実施するための最良の形態】
【０００８】
以下、図１〜図４に基づいて本発明を詳細に説明する。本発明のゴムベール収納用押圧器具は、ゴムベールを運搬用収納箱に収納するに際して、所定数のゴムベールを収納した収納箱の上部に１０〜３０分間載せて、収納箱の上部にはみ出したゴムベールを押圧して収納箱の中へ押し込む機能を有している。図１は、該押圧器具の平面図を示している。本発明の押圧器具は、少なくとも１０００ｋｇの重量を有する鋼鉄製のブロック１よりなっており、その上部にはフォークリフトで運搬が容易なように運搬用爪挿入口２を備えている。収納箱は、樹脂製または鋼鉄製で、その大きさは例えば、１．１ｍ巾、１．４ｍ長さ、１ｍ高さの長方体であり、押圧器具は、収納箱のサイズにあわせた巾および長さを有するように製作され、その隅の部分には収納箱の大きさに合わせてガイド用治具３を取り付けてある。
【０００９】
図２は押圧器具の立面図、図３は押圧器具のA−B断面図である。押圧器具の厚みは少なくとも重量が１０００ｋｇになるようにすればよいが、その下部はゴムベールを収納箱へ押し込むことが容易なように凸部４を設けてある。図４は押圧器具の使用状況を示す斜視図である。ゴムベールは、ゴムベール収納箱５に収納して運搬される。ゴムベールは、大きさによって異なるが例えば３０ｋｇのゴムベールは、５段積みで３０個を収納することができるが、押圧前は３０個のゴムベールを収納箱に収納するとその上部は収納箱上部より約７０〜８０ｍｍ飛び出す。そうすると、その上部を蓋で覆うことや、収納箱を２〜６段重ねて倉庫に収容することができなくなる。そこで、ゴムベールの上部に本発明の押圧器具を積載し圧力を約１０〜３０分かけて押圧すると、ゴムベール自身のコールドフロー性もあるので上部の飛び出し部分がなくなり、収納箱を蓋で覆ったり、２〜６段重ねて倉庫に収容することの支障がなくなる。
【００１０】
本発明の押圧器具の重量は、前記のようにゴムベール収納箱の上部から圧力をかけて収納箱上部のゴムベール飛び出し部分をなくすために、少なくとも１０００ｋｇの荷重を掛けることが好ましいが、重すぎると取り扱いが不便であり、ゴムベール収納箱の強度も問題となるので、１５００ｋｇ以下程度の重量であることが好適である。
【００１１】
本発明の押圧器具は、エチレン系エラストマー、プロピレン系エラストマーまたはブタジエン系エラストマー等のゴムベールを運搬に用いる収納箱に効率よく収納する際に特に有用である。これらのエラストマーは、例えば、エチレン系エラストマーはエチレンと炭素数３〜２０のα−オレフィン、プロピレン、１−ブテン、１−ペンテン、４−メチル−１−ペンテン、１−ヘキセン、１−オクテン、１−デセン、等との共重合体エラストマーであって、エチレン単位の含有量が５０〜９０モル％、炭素数３〜２０のα−オレフィン単位が１０〜５０モル％程度のものである。
【００１２】
プロピレン系エラストマーはプロピレンと炭素数４〜２０のα−オレフィン、１−ブテン、１−ペンテン、４−メチル−１−ペンテン、１−ヘキセン、１−オクテン、１−デセン等との共重合体エラストマーであって、プロピレン単位の含有量が６０〜９６モル％、炭素数３〜２０のα−オレフィン単位が４０〜２０モル％程度のものである。
【００１３】
上記エラストマーにおいて、プロピレンまたはエチレンとα−オレフィンの他、１−ブテン、１，４−ヘキサジエン、１，６−オクタジエン、２−メチル−１，５−ヘキサジエン、６−メチル−１，５−ヘプタジエン、７−メチル−１，６−オクタジエンのような鎖状非共役ジエン、シクロヘキサジエン、シクロペンタジエン、ジシクロペンタジエン、メチルテトラインデン、５−ビニルノルボルネン、エチリデンノルボルネン、５−エチリデン−２−ノルボルネン、５−メチレン−２−ノルボルネン、５−イソプロピリデン−２−ノルボルネン、６−クロロメチル−５−プロペニル−２−ノルボルネンのような環状非共役ジエン、２，３−イソプロピリデン−５−ノルボルネン、２−プロペニル−２，２−ノルボルナジエン等のジエン化合物やスチレン、酢酸ビニル等の第三コモノマー等を０〜５モル％程度共重合させたＥＰＤＭ等が例示される。また、ブタジエン系エラストマーとしては、ポリブタジエン、ブタジエン-スチレン共重合体が挙げられる。
【実施例】
【００１４】
以下、本発明を実施例に基づいて具体的に説明するが、もとより本発明はこの実施例に限定されるものではない。
実施例１
図４に示す、ゴムベール収納箱（縦１１２．５ｃｍ×横１４５ｃｍ×高さ９５ｃｍ）に、約３５×７０×２０ｃｍ程度の直方体に成型された、ベール表面温度約４５℃のポリエチレンフィルムに包まれた３０ｋｇのゴムベール（エチレン−プロピレン−エチリデンノルボルネン共重合体ゴム）３０個を収納したところ、その上部は収納箱上部より７０ｍｍ飛び出した状態であった。そこで、ゴムベールの上部に本発明の押圧器具（総重量１３５０ｋｇ）を、フォークリフトを用いて積載し１５分間圧力をかけた後、取り外した。その結果、押圧器具凸部の厚み分の１５ｍｍも収納箱上部よりも低くなり、収納箱上部の飛び出し部分がなくなった。また収納箱の側面のゆがみもなかった。したがって容易に収納箱を蓋で覆い、パレットに載せた収納箱を５段重ねて倉庫に収容することができた。
一方、押圧器具は使用中でも、ガイド用治具により固定された状態でゴムベール収納箱に載せまま移動することが可能であるため、ゴムベール収納場所や倉庫等、ゴムベール保管が可能な場所であれば収納することができた。また、押圧器具を使用しない場合は、ガイド用治具によりゴムベール接触面を床面につけることなく自立できるため、場所を選ばず保管することができた。
【００１５】
実施例２
実施例１と同様にして、約３３×６６×２０ｃｍ程度の直方体に成型された、ベール表面温度約５５℃のポリエチレンのフィルムに包まれた３５ｋｇのゴムベール（ブタジエン−スチレン共重合体ゴム）３０個を収納したところ、その上部は収納箱上部より１００ｍｍ飛び出した状態であった。そこで、ゴムベールの上部に本発明の押圧器具（総重量１３５０ｋｇ）を、フォークリフトを用いて積載し１５分間圧力をかけた後取り外した。その結果、押圧器具凸部の厚み１５mmより少ないが、収納箱上部よりも５ｍｍ低くなり収納箱上部の飛び出し部分がなくなった。また、収納箱の側面のゆがみもなかった。したがって容易に収納箱を蓋で覆い、パレットに載せた収納箱を５段重ねて倉庫に収容することができた。
【００１６】
比較例１
実施例１または２でエチレン−プロピレン−エチリデンノルボルネン共重合体ゴムまたはブタジエン−スチレン共重合体ゴムを収納した収納箱を、ゴムベールが収納箱の上部にゴムベールが飛び出した状態のまま蓋で覆い、同条件のゴムベールを収納した収納箱を上部に載せたところ収納箱底部が、収納箱上部のゴムベールが飛び出し部分に載るため非常に不安定であり、パレットに載せた収納箱を３段重ねることが限界であった。また、上部に載った収納箱の重量により飛び出し部分のゴムは沈みこむが、パレットの桟の形に圧力がかかり沈む為、上部ベールに凹凸が発生する等の不都合もあった。また、3段重ねの最上段の飛び出し部分に関しては、上部より圧力がかからないため、沈み込みが無く収納箱に収納できていない状態のままとなった。
【００１７】
実施例および比較例の結果から、本発明の押圧器具を使用することにより、収納箱上部より飛び出したゴムベールを上部ベール形状に凹凸を生じること無く、ゴムベール上部に載せるだけという簡易な操作で、運搬用収納箱に収容することができ、倉庫等のゴムベール保管が可能な場所であれば特別な場所を選ばず、運搬用収納箱を保管することができる。また、押圧器具は使用中でも、ガイド用治具により固定された状態でゴムベール収納箱に載せたまま、移動することができ、押圧器具を使用しない場合は、ガイド用治具によりゴムベール接触面を床面につけることなく自立できるため、場所を選ばず保管することができる等の利点があることがわかる。
【図面の簡単な説明】
【００１８】
【図１】押圧器具の平面図である。
【図２】押圧器具の立面図である。
【図３】押圧器具のＡ−Ｂ断面図である。
【図４】押圧器具の使用状況を示す斜視図である。
【符号の説明】
【００１９】
１…鋼鉄製ブロック、２…運搬用爪挿入口、３…ガイド用治具、４…凸部、５…ゴムベール収納箱
【図１】
2008201443.tif 000003
【図２】
2008201443.tif 000004
【図３】
2008201443.tif 000005
【図４】
2008201443.tif 000006